(57)【要約】【課題】浴室内の天井面において、常に安定した防カビ、抗菌、除菌効果の発現が可能な浴室を提供すること。【解決手段】浴槽を備えた浴室であって、浴室１内の天井面５に可視光励起型の光触媒の塗布層が設けられ、浴室の内部に蛍光灯照明装置６を備え、蛍光灯照明装置から天井面に対して可視光を照射し、天井面の光触媒を励起させ、カビ及び菌の発生を抑制する。【選択図】図１
2016016114.tif 000002
【特許請求の範囲】
【請求項１】
浴槽を備えた浴室であって、浴室内の天井面に可視光励起型の光触媒の塗布層が設けられ、前記浴室の内部に蛍光灯照明装置を備え、前記蛍光灯照明装置から前記天井面に対して可視光を照射し、前記天井面の光触媒を励起させ、カビ及び菌の発生を抑制することを特徴とする浴室。
【請求項２】
前記天井面に対して紫外線を照射する紫外線照射装置を補助的に備えることを特徴とする請求項１に記載の浴室。
【請求項３】
前記紫外線照射装置から照射される紫外線の波長領域が２５０〜２７０ｎｍの波長領域を含む紫外線であることを特徴とする請求項２に記載の浴室。
【請求項４】
浴室に入室する人を検知する検知手段を備え、前記検知手段が浴室に入室する人を検知した場合に、前記紫外線を照射しないことを特徴とする請求項２又は３に記載の浴室。
【請求項５】
前記可視光励起型の光触媒が、酸化チタンに銅を担持させた光触媒であることを特徴とする請求項１から４のいずれか一項に記載の浴室。
【発明の詳細な説明】
【技術分野】
【０００１】
本発明は、浴室に関する。
【背景技術】
【０００２】
従来の浴室、特に密閉性の高いユニットバスにおいては、十分な換気が行えず浴室内の湿度が高い状態が続くと、浴室内に水滴が付着し、特に水滴が流れづらい天井面にはカビが発生するといった問題があった。
【０００３】
このような浴室内に発生したカビの除去は、通常、次亜塩素酸や強アルカリ薬剤等の化学薬品の散布による除去が行われている。
【０００４】
しかしながら、このような従来の化学薬品の散布によるカビの除去、特に、浴室内の天井面に発生したカビの除去の場合、散布した塩素や強アルカリの化学薬品が頭から降りかかり、人体への危険性が指摘されていた。
【０００５】
このような問題に対して、カビの発生を抑制する手段として、浴室乾燥機等を用いた乾燥による抑制や、イオン発生器等を用いた電気的手段による抑制、また、銀系等の抗菌剤のコーテングや燻煙による抑制等の技術的手法が行われている（例えば、特許文献１を参照）。
【先行技術文献】
【特許文献】
【０００６】
【特許文献１】特開平１１−８１７１９号公報
【発明の概要】
【発明が解決しようとする課題】
【０００７】
しかしながら、このような従来のカビの発生を抑制する手段において、浴室乾燥機等を用いた乾燥ではコストがかかるといった問題があった。
【０００８】
また、イオン発生器等を用いた電気的手段では、浴室全体への効果が安定しない場合があるといった問題が指摘されていた。さらに、銀系等の抗菌剤のコーテングや燻煙による抑制の場合、コーテング面に付着する水滴や汚れにより抑制効果が低下する等の問題が指摘されていた。
【０００９】
本発明は、上記従来の問題点に鑑みてなされたものであり、浴室内の天井面において、常に安定した防カビ、抗菌、除菌効果の発現が可能な浴室を提供することを課題とする。
【課題を解決するための手段】
【００１０】
本発明は、上記の課題を解決するために、以下のことを特徴としている。
【００１１】
すなわち、本発明の浴室は、浴槽を備えた浴室であって、浴室内の天井面に可視光励起型の光触媒の塗布層が設けられ、浴室の内部に蛍光灯照明装置を備え、蛍光灯照明装置から天井面に対して可視光を照射し、天井面の光触媒を励起させ、カビ及び菌の発生を抑制することを特徴とする。
【発明の効果】
【００１２】
本発明によれば、浴室内の天井面において、常に安定した防カビ、抗菌、除菌効果の発現が可能な浴室を提供することが可能となる。
【図面の簡単な説明】
【００１３】
【図１】本発明の浴室の一実施形態を示す概略斜視図である。
【図２】実施例及び比較例の結果を示すサンプル写真である。
【発明を実施するための形態】
【００１４】
以下、発明を実施するための形態をあげて、本発明の浴室をさらに詳細に説明する。
【００１５】
本実施形態の浴室は、浴槽を備えた浴室であって、浴室内の天井面に可視光励起型の光触媒の塗布層が設けられ、浴室の内部に蛍光灯照明装置を備えている。そして、蛍光灯照明装置から天井面に対して可視光を照射し、天井面の光触媒を励起させ、カビ及び菌の発生を抑制する浴室である。
【００１６】
図１に本発明の浴室の一実施形態を示す。浴室１は、浴槽２、床面３、壁面４及び天井面５を有している。
【００１７】
浴室１内の天井面５には、光触媒の塗布層が設けられている。光触媒は、可視光の照射により励起する可視光励起型光触媒であれば特に制限なく用いることができ、例えば、銅を担持させた酸化チタン、酸化亜鉛、酸化タングステン等を挙げることができる。
【００１８】
これらの中でも、特に、酸化チタンに銅を担持させた、可視光及び紫外線の照射によって励起する可視光励起型光触媒を好適に用いることができる。光触媒として酸化チタンに銅を担持させた光触媒を用いることにより、直接自然光が入らない窓のないユニットバス等の浴室１であっても、浴室１内の照明装置の光によって励起し、活性を高めることができる。
【００１９】
光触媒は、光触媒を含有させた塗料として調整して天井面５に塗布し塗布層としたり、光触媒を塗布して塗布層を形成したシートを天井面に張り付けたりすればよい。
【００２０】
また、浴室１内には蛍光灯照明装置６が設けられている。蛍光灯照明装置６は、通常浴室１内で用いられる蛍光灯照明装置６であれば特に制限なく用いることができるが、特に天井面５全体に蛍光灯照明装置６からの可視光を照射するものが好ましい。蛍光灯照明装置６の設置位置は、効率的に天井面５全体に配光される設置位置とするのが望ましい。
【００２１】
蛍光灯照明装置６からの可視光の天井面５への照射により、天井面５に設けられた光触媒の塗布層が励起し、活性が高められ、防カビ、抗菌、除菌効果を発現することができる。
【００２２】
また、浴室１では、浴室１内に蛍光灯照明装置６の他、光触媒の塗布層を設けた天井面５に対して紫外線を照射する紫外線照射装置７を備えている。紫外線照射装置７の設置位置は、蛍光灯照明装置６の設置位置と同様に、効率的に天井面５全体に紫外線を照射する設置位置とするのが望ましい。具体的には、浴室１内の壁面４や床面３より天井面５全体をカバーできる位置が挙げられる。また、紫外線透過性のよい材質の天井面５では、天井面５の裏面からの紫外線の照射も可能である。
【００２３】
また、紫外線照射装置７から照射される紫外線は、２５０〜２７０ｎｍの波長領域を含む紫外線であることが好ましい。この波長領域を含む紫外線を光触媒の塗布層に照射することにより、蛍光灯照明装置６からの可視光により発現しきれなかった光触媒の防カビ、抗菌、除菌効果を確実に発現させることが可能となる。
【００２４】
これらの条件の紫外線が照射可能な光源としては、通常公知の紫外線光源を用いることができ、例えば、ＵＶ−キセノンランプやＵＶ−ＬＥＤ等の光源を挙げることができる。
【００２５】
なお、天井面５は標準的な大きさで１．６ｍ×１．６ｍの広範囲なため、均等に光触媒の防カビ、抗菌、除菌効果を発現させるためには、光触媒の活性を高めるレベルの光照射強度を設定する必要がある。また、紫外線照射装置７は補助的に設けられるものであり、あくまでも蛍光灯照明装置６の設置が浴室１に必須とされる。
【００２６】
殺菌性の紫外線の直接光による除菌の場合、除菌のための必要照射強度は、対象部位の菌種により異なるが、菌類のＤＮＡ構造破壊に必要な積算照射強度（量）以上を照射可能な光源及び配置設計が必要となる。これに対し、光触媒活性による除菌では、比較的低い紫外線の照射強度でも光触媒の活性を上げることができるため除菌が可能となる。
【００２７】
なお、一般的な菌の９９．９％不活化の必要紫外線照射量として、クラウドスポリウム：２６４ｍＪ／ｃｍ２、大腸菌：５．４ｍＪ／ｃｍ２、メチロバクテリウム：１６．５ｍＪ／ｃｍ２のデータが知られている。これらのことから、一般的な菌の除菌のためには、３００ｍＪ／ｃｍ２以上、好ましくは５００〜２０００ｍＪ／ｃｍ２程度の強度の紫外線を光触媒に照射することにより除菌が可能となる。
【００２８】
また、浴室１では、浴室１に入室する人を検知する検知手段を備え、検知手段が浴室１に入室する人を検知した場合に、紫外線を照射しないことが好ましい。
【００２９】
浴室１に入室する人を検知する検知手段としては特に制限はないが、例えば、浴室１の扉の開閉を検知することにより人の入室を検知する手段や、赤外線やカメラを用いた人感センサにより人の入室を検知する手段を挙げることができる。
【００３０】
そして、この検知手段が人の入室を検知した場合に、この検知手段と連動して紫外線照射装置７からは紫外線が照射されないようにする。これにより、入室した人に紫外線が照射される危険性がなくなり、安全な浴室１構造とすることができる。
【００３１】
以上、本発明の浴室を一実施形態に基づいて説明したが、本発明の浴室は上記の実施形態に限定されるものではなく、その要旨を逸脱しない範囲内において種々の変更が可能である。
【００３２】
例えば、図１に示した構成の浴室１では、蛍光灯照明装置６と紫外線照射装置７を別の装置構成としたが、これら二つを一つのユニットに収めて、装置構成をシンプルにすることができる。また、可視光及び紫外線が照射される範囲において、天井面５以外の部分にも光触媒層を設けることもできる。
【実施例】
【００３３】
以下、実施例により本発明をさらに詳しく説明するが、本発明はこれらの実施例に何ら限定されるものではない。
【００３４】
浴室内の天井面の代用として、実施例では、ＰＥＴフィルムの表面に光触媒を塗布した光触媒シートと、比較例では、光触媒を塗布しない通常ＰＥＴシートを用いた。可視光励起型光触媒は、酸化チタンに銅を担持した可視光励起型光触媒を用いた。
【００３５】
付着カビの抑制評価として、クラドスポリウム菌を光触媒シートと通常ＰＥＴシートに塗布して、下記条件で光を照射後、残る菌量を測定した。測定は、ＪＩＳ  Ｒ１７５６「ファインセラミック−可視光応答型光触媒材料の抗ウイルス性試験方法−バクテリオファージＱβを用いる方法」に準じて行った。
【００３６】
［光照射条件］
可視光：通常、浴室で蛍光灯照明（２０Ｗ）を点灯したときに、天井面に照射される光量を想定して１０００ｌｘの蛍光灯の光を４時間照射した。
紫外線：２５０〜２７０ｎｍ領域を含むＵＶ光を照射可能な、キセノンランプを用いて、４５０ｎｍ以下の光量が６４４μＪ／ｃｍ２、１２８８μＪ／ｃｍ２となる照射を行った。
【００３７】
実施例１〜３及び比較例の各照射条件は表１のとおりとした。
【００３８】
【表１】
2016016114.tif 000003
【００３９】
光を照射した後、抽出液で洗い出し、ポテトデキストロース寒天培地（ＰＤＡ培地）に液を塗布、培養した後、コロニー数測定を行い、比較例のコロニー数に対する除菌率を算出した。なお、サンプルを２つずつとり、平均コロニー数を用いて算出した。その結果を表１及び図２に示す。
【００４０】
表１及び図２に示した結果から、光触媒を塗布して、蛍光灯を照射した実施例１では、７３％の除菌率を示した。
【００４１】
また、蛍光灯と紫外線（６４４μＪ／ｃｍ２及び１２８８μＪ／ｃｍ２）を照射した実施例２、３は除菌率が８０％以上であった。
【００４２】
これらの結果から、浴室内の天井面に光触媒の塗布層を設け、塗布層に対して蛍光灯の光又は蛍光灯の光及び紫外線を照射することにより、常に安定した防カビ、抗菌、除菌効果の発現が可能であることが確認された。
【符号の説明】
【００４３】
１  浴室
５  天井面
６  蛍光灯照明装置
７  紫外線照射装置
【図１】
2016016114.tif 000004
【図２】
2016016114.tif 000005